【誤訳訂正書】
【提出日】平成23年5月30日(2011.5.30)
【誤訳訂正１】
【訂正対象書類名】特許請求の範囲
【訂正対象項目名】全文
【訂正方法】変更
【訂正の内容】
【特許請求の範囲】
【請求項１】
それぞれのビューが観察角度に応じて表示されるようにして３次元画像を表示する表示装置であって、
前記画像を表示するための個別にアドレス指定可能な複数の画素を有し、これら画素が、グループ内のそれぞれの画素が当該画像のそれぞれのビューに対応し、グループ内の各画素が、その対応の個別の光源に対して位置づけられるようにした表示パネルと、
各画素の光学特性を制御して受信画像データに応じた画像を発生する表示ドライバと、
グループ内の画素の前記光学特性をさらに制御して、前記それぞれのビューのビューイングコーンの角度サイズの差異に起因する輝度変動を補償するようにした強度補償装置と、
を含む表示装置。
【請求項２】
請求項１に記載の表示装置であって、複数の個別光源を形成するための後部パネルを含み、前記表示パネルにおける画素の各グループは、前記個別光源のそれぞれの１つからの光を受信するよう位置づけられている、表示装置。
【請求項３】
請求項２に記載の表示装置であって、前記後部パネルは、複数の線状照射源を形成する、表示装置。
【請求項４】
請求項２に記載の表示装置であって、前記後部パネルは、複数の点状照射源を形成する、表示装置。
【請求項５】
請求項２に記載の表示装置であって、前記表示パネルは、前記後部パネルが位置づけられる側とは反対の側から見るように構成された光透過性表示パネルである、表示装置。
【請求項６】
請求項１に記載の表示装置であって、前記表示パネルに隣接して位置づけられるレンチキュラアレイをさらに含み、前記アレイ内の各レンチクルは、前記表示パネルにおける選択画素からの光の焦点を合わせる、表示装置。
【請求項７】
請求項６に記載の表示装置であって、前記アレイ内の各レンチクルは、前記グループの画素と関連づけられている、表示装置。
【請求項８】
請求項１ないし７のうちいずれか１つに記載の表示装置であって、当該光学特性は、光透過特性であり、前記表示ドライバ及び強度補償装置は、表示すべき画像に応じて各画素を透過する光の量を制御するよう適合されている、表示装置。
【請求項９】
請求項１ないし８のうちいずれか１つに記載の表示装置であって、前記強度補償装置は、グループ内の各画素に関して供給されるべき補正値を含むルックアップテーブルを有する、表示装置。
【請求項１０】
請求項９に記載の表示装置であって、前記補正値は、観察角度に依存しないものとすべき画素のグループにより表示される強度を正規化するように選択される、表示装置。
【請求項１１】
請求項９に記載の表示装置であって、前記ルックアップテーブルは、フレーム記憶装置に供給されるべき観察角度の関数としての代替値又はオフセット値を前記補正値として含む、表示装置。
【請求項１２】
請求項８に記載の表示装置であって、前記強度補償装置は、前記表示ドライバから受信された画素制御電圧及び／又は電流を調整するように適合されている、表示装置。
【請求項１３】
請求項１２に記載の表示装置であって、前記強度補償装置は、前記表示ドライバから受信された画素制御電圧及び／又は電流に電圧及び／又は電流オフセットを付与する、表示装置。
【請求項１４】
請求項１に記載の表示装置であって、前記強度補償装置は、各画素の線状視角範囲の関数としてグループ内の画素の当該光学特性をさらに制御するように適合されている、表示装置。
【請求項１５】
請求項１に記載の表示装置であって、前記強度補償装置は、各画素の面的視角範囲の関数としてグループ内の画素の当該光学特性をさらに制御するように適合されている、表示装置。
【請求項１６】
請求項１に記載の表示装置であって、前記強度補償装置は、当該個別の光源に対して画素の線状の長さにより範囲の定められた角度の関数としてグループ内の画素の当該光学特性をさらに制御するように適合されている、表示装置。
【請求項１７】
請求項１に記載の表示装置であって、前記強度補償装置は、当該個別の光源に対して画素の面的大きさにより範囲の定められた角度の関数としてグループ内の画素の当該光学特性をさらに制御するように適合されている、表示装置。
【請求項１８】
請求項１に記載の表示装置であって、前記強度補償装置は、
2007510169.tif 000001
なる関数に応じて各画素の光学的透過率を変調するようにグループ内の画素の当該光学特性をさらに制御するように適合され、前記画素グループは、（２Ｎ＋１）個の画素を有し、ｎは、（２Ｎ＋１）個の画素のグループの中心からの画素位置であり、ｐ０は、画素幅であり、ｗは、前記個別光源の幅であり、ｈは、前記画素グループの当該平面に対する前記光源の直交方向の間隔である、表示装置。
【請求項１９】
請求項１ないし１８のうちいずれか１つに記載の表示装置であって、前記表示パネルの固有の光学特性は、観察角度依存性が垂直軸に対して減少されるように規定され、前記強度補償装置は、水平軸に対して観察角度依存性を減少させる機能を担う、表示装置。
【請求項２０】
画像のそれぞれのビューが観察角度に応じて表示されるようにして３次元画像を表示装置に表示する方法であって、
表示パネルにおいて個別にアドレス指定可能な複数の画素の各々について画素強度データ値を形成するように画像データを処理し、当該画素が、グループ内のそれぞれの画素が前記画像のそれぞれのビューに対応するようにグループ化され、グループ内の各画素が、それぞれの個別の光源に対して位置づけられ、前記画素強度データ値が各々、前記画像を生成するように対応画素の光学特性を制御するためのものとしたステップと、
前記それぞれのビューのビューイングコーンの角度サイズの差異に起因する輝度変動を補償するために各グループ内の少なくともいずれかの画素データ値に強度補正値を適用するステップと、
前記画像を発生するべく、前記表示パネルの画素を制御するために当該補正された画素データ値を用いるステップと、
を有する方法。
【請求項２１】
請求項２０に記載の方法であって、前記光学特性は、光透過特性であり、当該適用される強度補正値は、表示すべき３次元画像に応じて各画素を透過するそれぞれの個別の光源からの光の量を制御するよう適合されている、方法。
【請求項２２】
請求項２０に記載の方法であって、前記強度補正値は、グループ内の各画素について適用されるべき補正値を含むルックアップテーブルから得られる、方法。
【請求項２３】
請求項２０に記載の方法であって、前記補正値は、観察角度に依存しないものとすべき画素のグループにより表示される強度を実質的に正規化するように選択される、方法。
【請求項２４】
請求項２０に記載の方法であって、前記強度補正値は、前記表示パネルに供給される画素制御電圧及び／又は電流を調整するために用いられる、方法。
【請求項２５】
請求項２０に記載の方法であって、前記強度補正値は、グループ内の各画素の線状視角規模の関数に応じて定められる、方法。
【請求項２６】
請求項２０に記載の方法であって、前記強度補正値は、グループ内の各画素の面的視角規模の関数に応じて定められる、方法。
【請求項２７】
請求項２０に記載の方法であって、前記強度補正値は、当該個別光源に対する画素の線状規模により範囲の定められる角度の関数により定められる、方法。
【請求項２８】
請求項２０に記載の方法であって、前記強度補正値は、当該個別光源に対する画素の面的規模により範囲の定められる角度の関数により定められる、方法。
【請求項２９】
請求項２０に記載の方法であって、前記強度補正値は、
2007510169.tif 000002
なる関数に応じて各画素の光学的透過率を変調するように選択され、前記画素グループは、（２Ｎ＋１）個の画素を有し、ｎは、（２Ｎ＋１）個の画素のグループの中心からの画素位置であり、ｐ０は、画素幅であり、ｗは、前記個別光源の幅であり、ｈは、前記画素グループの当該平面に対する前記光源の直交方向の間隔である、方法。
【請求項３０】
請求項２０ないし２９のうちいずれか１つに記載の方法であって、前記表示パネルの固有の光学特性を、観察角度依存性が垂直軸に対して減少されるように規定し、前記強度補正値を、水平軸に対しての観察角度依存性を減少させるように適用するステップをさらに含む方法。
【請求項３１】
コンピュータにロードされた場合に前記コンピュータに請求項２０ないし３０のうちいずれか１つに記載の処理を実行させるように適合されたコンピュータプログラムコードを有するコンピュータプログラム。
【誤訳訂正２】
【訂正対象書類名】明細書
【訂正対象項目名】全文
【訂正方法】変更
【訂正の内容】
【発明の詳細な説明】
【発明の名称】３次元画像表示装置における輝度制御の最適化
【技術分野】
【０００１】
本発明は、表示装置に関し、特に、３次元の又は立体的な画像を表示するのに適合した表示装置に関する。
【背景技術】
【０００２】
３次元画像の発生は、一般に、表示装置が当該表示装置のユーザの左右の眼に対して異なる表示をする能力を持つことを必要としている。これは、特別に構成された眼鏡を用いることにより当該ユーザの各々の眼に対して直接、分離した画像を提供することによって達成することができる。１つの例では、ディスプレイは、時間的に連続した態様で左右交互の表示（ビュー）を提供し、かかる表示は、同期化された視認用眼鏡によって当該観察者の対応の目に入ることが可能とされている。
【０００３】
他の例では、米国特許出願に係る文献のＵＳ６，１７２，８０７に記載のようなものがあり、視差を用いたディスプレイの左右の眼の表示を交互に塞ぐＬＣＤパネルの形態の空間変調素子によって、左右の眼の表示の時間的に連続した同期がなされる。左右の眼の表示を適正に塞ぐために、当該ＵＳ'８０７のシステムは、当該表示装置に対するその観察者の位置を絶えず追跡しなければならない。
【０００４】
対照的に、本発明は、必ずしもユーザ位置の追跡を必要とすることなく単一の表示パネルに対する観察角度に応じて画像の異なるビューを見ることができる表示装置の類に関する。以下では、これらを概して３Ｄ表示装置と称することにする。
【０００５】
かかる３Ｄ表示装置の１つの既知の類型は、視差バリア方式が行われる液晶ディスプレイである。
【０００６】
図１を参照すると、視差バリア型の表示装置１００は、複数の個別光源を備える後部パネル１１を有する。図示されているように、後部パネル１１は、当該表面にわたって分布した複数のスリット１４ａないし１４ｄを有する不透明マスク又はバリア層１３に覆われた面光源１２（例えばフォトルミネセンスのパネル）によって形成することができる。そしてスリット１４の各々は、線状光源として振舞う。
【０００７】
液晶表示パネル（ＬＣＤ）１５は、それぞれの光透過特性を変えるために既知の技術によって電気信号により個別にアドレス指定可能な複数の画素（例えば、図１では１から１０が付番されている）を有する。後部パネル１１は、当該線光源１４の各々が画素グループ１６に対応するようにＬＣＤパネル１５に対して接近して位置づけられている。例えば、グループ１６１として示される画素１ないし５は、スリット１４ａに対応し、グループ１６２として示される画素６ないし１０は、スリット１４ｂに対応する、という具合である。
【０００８】
画素グループ１６の各画素は、画像の複数の可能なビュー（Ｖ−２，Ｖ−１，Ｖ０，Ｖ１，Ｖ２）に係る１つのビューＶに対応し、その線状光源１４ａは、そのビューに対応する画素１ないし５のうちの１つを通じて視認することができる。各グループ１６における画素の数は、存在する画像のビューの数を決定し、これは図示の構成においては５である。ビューの数が多いほど、より現実感のある３Ｄ効果となり、また斜めの観察角度がより多く提供される。
【０００９】
本明細書の全体にわたって、表示される「画像」を、当該表示パネルにおける全ての画素により発生される全体の画像を指し、かかる画像は、特定の観察角度により定められる複数の「表示」（ビュー）からなるものとする。
【００１０】
この従来技術の構成には問題がある。観察者により知覚されるような個別の線状光源１４の輝度は、当該光ビームに対して直交した方向において当該光源と観察者との間に存在する画素のサイズの関数となる。換言すれば、図１の画素３を通じて見られるような線光源１４ａのビューの角度サイズは、画素５を通じて見られるような光源１４ａのビューの角度サイズよりも大きい。
【００１１】
したがって、視認される光源の知覚強度は、観察角度の関数となる。これにより、より斜めの角度で見たときには薄暗い画像となり、もって当該画像のそれぞれのビューを観察するときには望ましくない強度のアーチファクトを生じることになる。
【発明の開示】
【発明が解決しようとする課題】
【００１２】
本発明の目的は、画像のそれぞれのビューを観察角度に応じて表示する３次元画像表示のための表示装置において望ましくない強度アーチファクトを克服し又は緩和することである。
【課題を解決するための手段】
【００１３】
一態様によれば、本発明は、それぞれのビューが当該観察角度に応じて表示されるようにして３次元画像を表示する表示装置であって、前記画像を表示するための個別にアドレス指定可能な複数の画素を有し、これら画素が、グループ内のそれぞれの画素が当該画像のそれぞれのビューに対応し、グループ内の各画素が、その対応の個別の光源に対して位置づけられるようにした表示パネルと、各画素の光学特性を制御して受信画像データに応じた画像を発生する表示ドライバと、グループ内の画素の前記光学特性をさらに制御して、前記画素を介したそれぞれの光源のビューの角度サイズを補償するようにした強度補償装置と、を含む表示装置を提供する。
【００１４】
他の態様によれば、本発明は、画像のそれぞれのビューが観察角度に応じて表示されるようにして３次元画像を表示装置に表示する方法であって、表示パネルにおいて個別にアドレス指定可能な複数の画素の各々について画素強度データ値を形成するように画像データを処理し、当該画素が、グループ内のそれぞれの画素が前記画像のそれぞれのビューに対応するようにグループ化され、グループ内の各画素が、それぞれの個別の光源に対して位置づけられ、前記画素強度データ値が各々、前記画像を生成するように対応画素の光学特性を制御するためのものとしたステップと、前記画素を介したそれぞれの光源のビューの角度サイズを補償するために各グループ内の少なくともいずれかの画素データ値に強度補正値を適用するステップと、前記画像を発生するべく、前記表示パネルの画素を駆動するために当該補正された画素データ値を用いるステップと、を有する方法を提供する。
【００１５】
以下、本発明の実施例を添付図面に基づいて例を挙げて説明する。
【発明を実施するための最良の形態】
【００１６】
図１を参照して視差バリア型の３次元画像表示装置の基本的機能は既に説明した。同様の構成の表示パネル１５及び後部パネル１１並びに照射源を本発明の好適実施例に用いることができる。但し、以下において明らかになるように、他の構成を用いてもよいことに留意されたい。
【００１７】
概して、本発明は、個別にアドレス指定可能な複数の画素１ないし１０を有する表示パネル１５を用いており、ここでは、グループ１６１及び１６２それぞれにおけるそれぞれの画素１〜５又は６〜１０が当該画像のそれぞれのビューに対応するように画素がグループ化されている。表示パネル１５は、電気的制御信号に応じて各画素の光学特性を変えて画像を発生することのできる適切な電気−光学デバイスとすることができる。この表示パネルは液晶ディスプレイであることが好ましい。
【００１８】
各画素グループ１６が当該光源の対応のものから光を受けるように位置づけられるように個別の複数の光源１４ａ〜１４ｄを有する照射源が設けられるのが好ましい。これは、図１の面光源１２及びマスク１３の構成によるものとすることができるが、画素のライン、個々の画素又は画素のブロックとして光源１４を形成するピクセル処理された光源によっても構成できる。
【００１９】
さらに、この複数の個別の光源は、一連の高強度光スポットを提供するバックライト及びレンズアレイ（例えばレンチキュラシートアレイ）によって形成される仮想の複数光源とすることができる。このような構成は、図９に示される。表示装置８０は、ＬＣＤパネル７５、面光源７２及びレンズアレイ７１を含む。このレンズアレイは、面光源７２からの光を、ＬＣＤパネルの面の直ぐ外側において複数の個別の焦点７３に焦点を合わせて、図１に関連して説明したものと同様に、各々がＬＣＤパネルにおける複数の画素を照射するようにしている。
【００２０】
表示パネル１５における画素グループの一部は、図２に示される。幅ｗの光源１４は、当該表示パネルの平面の法線に対してそれぞれの観察角度φ０，φ１，…φ７において画素０〜７のグループに対応しかつこれらを通じて視認可能である。なお、画素グループ１６の概して半分だけが示されており、他の７つの画素はグループ１６を完成されるため画素０の左に存在している。
【００２１】
各画素は、幅ｐ０，ｐ１，…ｐ７を有する。幅ｐ０，ｐ１，…ｐ７は等しくするのが好ましいが、これらは、それらを通過する光の入射角に対しある程度補償するために変えることができる。後部パネル照射源１４と表示パネル１５との間の距離は、ｈとして示される。好ましい表示装置においては、ｈ＝２．３ｍｍ，ｐ０＝２００ミクロン、ｗ＝５０ミクロンとするが、これらの値は大幅に変えてもよい。
【００２２】
図３は、各ビューＶ０，Ｖ１，Ｖ２，Ｖ３，Ｖ４の観察錐体（ビューイングコーン）の角度サイズΔφがｎが大なるほど小さくなることを示しており、ここでのｎは、光源１４（図２参照）の上方に中心が位置付けられた画素０から数えた画素番号である。これは、光源１４が等方性の放射源である場合に、ｎ個の表示の各々の輝度がｎの値が大きくなるほど低くなることを意味している。これは、通常、少なくとも関連の光源１４に対応する画素グループ１６により範囲が定められる角度の程度の場合であると想定される。したがって観察者は、垂直ビューＶ０の場合よりも斜めのビュー（例えばＶ４，Ｖ３）の場合の方が、より低い輝度を受けることになる。これにより、表示されている画像のそれぞれのビューを観察するときに望ましくないアーチファクトが生じる。
【００２３】
ビューｎの角度位置φｎは、φｎ＝arctan（ｎｐ０／ｈ）によって与えられる。これは、ｘｎ＝ｐ０／２＋ｎｐ０となるように全てのｎ（固定画素幅）についてｐｎ＝ｐ０とすることを前提にしている。これは、殆どのＬＣＤパネルについての場合であるが、異なる画素サイズを有するパネルを適切な変更によって適合させることができる。眼と眼の間の角φｅｙｅにおける第１のビューφ１は、φ１＝arctan（ｐ０／ｈ）と表せる。隣接するビューの間の角度距離φｎ＋１−φｎは一定ではない。表示番号ｎの関数としてのΔφ及びφｎの値は、それぞれ曲線３１，３２として図６に示されている。
【００２４】
Δφの式は、
Δφ＝arctan｛［（ｎ＋０．５）ｐ０＋０．５*ｗ］／ｈ｝−arctan｛［（ｎ−０．５）ｐ０−０．５*ｗ］／ｈ｝
によって表される。
【００２５】
番号Δφは、各ビューの輝度を決定する。光源１４が全ての（関連する）方向において等しい強度を発する等方性照射源である場合、その輝度は、各ビューが範囲を定める角度により線形に変倍する。ビュー０の輝度を１に正規化した場合は、各ビューｎの輝度は、次式によって表される。
（輝度表示）ｎ＝Δφｎ／Δφ０
2007510169.tif 000003
【００２６】
これは、図４にプロットされ、ｈ＝２．３ｍｍ、ｐ０＝２００ミクロン、ｗ＝５０ミクロンの場合にビュー番号ｎに対する正規化された輝度となっている。異方性光源１４の場合には、ｎの関数としての輝度特性を決定するためにそれ相応に調整することができる。
【００２７】
現時点での１つの好ましい実施例によれば、確立された輝度特性の少なくとも部分的な補償をなすためにＬＣＤパネルの画素の駆動電圧及び／又は電流を変えることが提案される。したがって、１グループのＬＣＤ画素の透過は、画素が形成するビューの輝度を補償するように個々に調整される。２Ｎ＋１のビューの場合（−Ｎから＋Ｎまで付番されたビュー）には、観察角度補償をなすために、グループ１６における各画素０〜Ｎ及び０〜−Ｎの光学特性を制御する強度補償装置が設けられる。
【００２８】
かかる強度補償装置は、表示パネルにおける所定の位置について当該グループにおける他の画素のものに対して画素グループ１６により表示されるような光源１４の強度を実質的に正規化するのが好ましい。したがって、知覚される強度は、観察角度とは独立したものとなる。この強度補償装置は、光源１４の異方性の振る舞いの程度を反映したものとしてもよい。
【００２９】
それぞれの強度補正係数は、種々のディスプレイタイプ（例えば、画素サイズ、ＬＣＤパネル厚さ、光源からディスプレイまでの間隔など）や、透過性対反射性ディスプレイに対して要求されることになる。
【００３０】
１つの好適な実施例では、強度補償装置は、次の式に基づいて、トータル２Ｎ＋１の画素（光源に垂直な中央画素ｎ＝０の両側の画素）のうちのｎ番目の画素について輝度補正係数ｆｎを適用する。
ｆｎ＝（輝度表示）Ｎ／（輝度表示）ｎ
【００３１】
したがって、
2007510169.tif 000004
である。
【００３２】
図７は、強度補償装置を組み入れた表示装置１０１の概略的な模範的実施例を示している。
【００３３】
画像処理器５０は、複数のビューφ０〜φ７の各々につき強度画素データを含む画像情報のストリームを受信する。この画像情報は、表示装置５３にレンダリングされることが可能なようにディジタル形式で処理されフレームバッファ５１に記憶される。フレームバッファ５１は、複数のページ５８を含み、各ページは、それぞれのビューφ０，φ１，… φ７についての画素データを含む。
【００３４】
フレームバッファ５１は、フレーム記憶手段５１における記憶値の各々に応じて表示パネル５３の各画素に適切な駆動電圧及び／又は電流信号を供給する表示ドライバ５２によりアクセスされる。一般的原理として、強度補償装置による強度補正値の適用は次のいずれかによって適用可能であることを理解されたい。
【００３５】
（ｉ）  フレーム記憶手段５１に記憶された画像データをディジタル的に変化させ、表示ドライバ５２により選択された駆動パラメータの値を適切に変更する。
【００３６】
（ｉｉ）  フレーム記憶手段５１に記憶された画像データを変更しないまま、表示ドライバの出力に対する補正係数を適用する。
【００３７】
第１の実施例において、強度補償装置６０（破線の輪郭で示される）は、例えば画像処理器５０によりアクセス可能なルックアップテーブルとして設けられる。このルックアップテーブルは、補正値の複数のページ６１，６２，６３を有し、各ページは、当該画像処理器によって受信された画像データに適用すべき観察角度φ１，… φ７のうちの１つに対応する。画像処理器５０は、画像データに対する適切な補正値を得て、この補正したデータをフレーム記憶手段５１に記憶する。
【００３８】
この文脈における「補正値」なる表現は、「代替」値又は「オフセット」値を含みうる。換言すれば、与えられた入力画素値ｘｊに対し、ルックアップテーブル６１〜６３は、代替値ｘｓを（φの関数として）ｘｊに代えてフレーム記憶装置に記憶するように提供する。或いは、与えられた入力画素値ｘｉに対して、ルックアップテーブル６１〜６３は、当該入力値に合算される（φの関数としての）オフセット値ｘ０を提供し、ｘｉに代えてフレーム記憶装置にｘｊ＋ｘ０を記憶するようにしてもよい。
【００３９】
この実施例の特有の効果は、慣例のＬＣＤドライバ装置からハードウェアの変更がたとえあったとしても非常に少ない変更で実現することができる点である。画像処理器５０の機能は、ソフトウェアで実現可能であり、強度補償装置６０の機能も、ソフトウェアの実施形態として実現可能である。
【００４０】
この第１の実施例に関するバリエーションにおいては、補償装置６０が、画像処理器５０によりフレーム記憶装置５１に既に記憶されたデータに対し画像処理器５０とは独立して動作可能としている。これは、フレーム記憶装置５１に対して第２のアクセスポート６４を用いることにより行うことができる。この実施例の補償装置６０はまた、画像処理器５０（例えば、これはカスタマイズされたグラフィックプロセッサである）の動作を妨げることなく、ソフトウェアモジュールとして実現することができる。また、ルックアップテーブル６１〜６３は、強度補償装置により実現されるべき代替値又はオフセット値を提供するようにしてもよい。
【００４１】
第２の実施例においては、各画素駆動信号の強度補償は、アナログ領域におけるリアルタイムで実行可能であり、すなわちこれは、表示ドライバ５２により生成された各画素信号に補正電圧オフセットを供給することによって可能であることが分かる。したがって、この実施例では、強度補償装置７０は、表示ドライバ５２と表示パネル５３との間に組み込まれ、当該表示ドライバにより特定のオフセット電圧及び／又は電流をそれらの出力に供給する。この構成において、強度補正値は、電圧及び／又は電流オフセット値とみなしうる。
【００４２】
完全を期すため、注記したいのは、ハイブリッドシステムは補償装置６０によりフレーム記憶装置５１に供給されるディジタル補正値と補償装置７０により表示ドライバ出力に供給されるアナログオフセットとの双方の技術を採用することができる点である。それらの両方が適切な寄与を奏しうるが、これは比較的複雑な解決策かもしれない。例えば、強度補償装置７０により供給されるアナログオフセット又は補正値は、表示パネルの動作を透過率−電圧特性の適正な部分に移動するよう選択されるかもしれないが、ディジタル補正値は透過率−電圧特性の勾配における差を補償するように選択されるかもしれない。
【００４３】
また、ここで説明したような強度補償装置６０も、図１及び図２に示したもの以外の形態の３Ｄ表示において設けることができる。図８を参照すると、本発明は、レンチキュラ３Ｄ表示装置２００にも適用可能である。このレンチキュラ表示装置において、液晶表示パネル１１５は、図１に示したものと同様の態様で、グループ１１６１，１１６２に配される複数の画素（ａ１からｂ８が示される）を含む。ＬＣＤアレイ１１５の上部には、円柱レンズ１２１，１２２のレンチキュラアレイ１２０が位置づけられている。このレンチキュラアレイは、ＬＣＤパネルの画素グループにつき局部的な焦点合わせをなすための、波状に形成された光学材料のシート又は個別若しくは結合したレンズのアレイを含みうる。
【００４４】
図８に示される構成において、各レンズ素子の幅は、８表示（ビュー）３Ｄ表示に対応する８画素に選ばれる。各レンズ素子の幅は、必要とされる角度の解像度に応じた種々の画素数に対応するように選ばれるようにしてもよいことは勿論である。ＬＣＤの画素ａ１ないしａ８は、それぞれのビューに画像形成される。例えば、画素ａ２及びａ４から発せられる光束が示される。ＬＣＤ基板１１６において画素ａ２により発せられる光束は、画素ａ４により発せられる光束に対して大きく斜めに伝播する。それらの間の角度は、平均で、２つのビューの間の角度（θ）にほぼ等しい。
【００４５】
レンチキュラ型３Ｄ表示装置においては、それぞれのビューの光束が当該ディスプレイの平面に対してそれぞれの角度でそれぞれの個別の光源（図示せず）から液晶表示パネルに移ることになる。したがって、角度に対する強度依存性の問題は依然として存在し、図７に関連して説明したような強度補償装置７０により解決される。
【００４６】
本発明は、透過型の表示パネルタイプだけでなく、反射型の表示パネルタイプにも適用可能である。表示パネルが複数の画素の各々の反射性の制御を規定する場合、当該光源への画素の平面の角度における反射性の依存性は、依然として存在することになり、ここで説明したような強度補償装置を用いるために補正可能である。
【００４７】
上述したような本発明はまた、概して液晶ディスプレイの最適化についての重要な意味がある。ＬＣＤパネルの観察角度依存性は、どちらかというとあまりよくないことが一般に知られている。図１０は、補償フィルムのない状態で標準の９０度捩れネマチック（ＴＮ）透過型ＬＣＤにおいて観察角度に対しコントラスト及び階調反転がどのように依存しているかを示している。水平方向の観察角度は、当該ディスプレイの平面に対する法線からの−６０度と＋６０度との間のｘ軸について示しており、垂直方向の観察角度は、当該ディスプレイの平面に対する法線からの−６０度と＋６０度との間のｙ軸について示している。
【００４８】
ＬＣＤ偏光子の光軸９０，９１と液晶ダイレクタの光軸９２との方位が図の下の部分に示される。
【００４９】
図１０からは、画像品質が観察角度に強く依存することが分かる。図１０に示される例の場合、最適な観察角度は、左上から右下へ延びる斜めの線９４により表され、階調反転は、線９４の右上の観察位置において生じる。
【００５０】
従来、テレビやコンピュータモニタなどの最も重要な用途については、水平の観察方向の性能を最大化することは、垂直の観察方向の性能を最大化することよりも重要であることが認識されている。例えば、テレビ用途では、表示装置の複数の観察者が当該スクリーンに対して多かれ少なかれ一致した形の目線の高さで（すなわち、ｙ軸に沿ってほんの僅かなばらつきしかない形で）並ぶのが普通であるが、ｘ軸に対する水平方向の観察角度は大きく変わりうる。同様に、コンピュータモニタ前に着席するユーザは、ｙ軸に沿うよりも、作業中にｘ軸に沿って頭の位置を変えることの可能性が高い。
【００５１】
したがって慣例によれば、ＬＣＤは図１０に示される方位から４５度分反時計回りに回転させられ、その偏光軸が使用時に当該ディスプレイのｘ及びｙ軸に対して概ね４５度となるようにされる。このようにして、表示装置の性能は、水平方向の観察角度について最適化されるが、垂直方向の観察角度については妥協した形となる。
【００５２】
３ＤのＬＣＤディスプレイは、ｘ及びｙ方向に関して観察角度依存性の最適化により同じ問題を抱える。
【００５３】
しかしながら、本発明においては、上述したように、説明した強度補償装置６０及び／又は７０を用いて、当該ディスプレイを駆動する際の電子的技術によって輝度レンダリングの最適化を達成することができる。
【００５４】
したがって、当該表示装置に、垂直方向の観察角度変化について当該表示パネルの固有の光学特性が最適化される方位付けを施すことは、より適切である。水平方向の観察角度変化は、ここで記述したような電子的駆動技術を用いて吸収され最適化される。
【００５５】
このように、好適な構成においては、上述した３Ｄの表示装置は、通常使用時には表示パネルの第１の軸に対する角度の関数としてそれぞれのビューを提供する各グループ１６内の画素を有し、また、当該ディスプレイの第２の軸に対する観察角度依存性を最小化するために表示パネルの偏光素子を方位付けし、ここでの第２の軸を第１の軸と直交したものとするように構成される。
【００５６】
極めて包括的な見地においては、表示パネルの特有の光学特性は、観察角度依存性がｙ軸に対して減少又は十分に最小化され、強度補償装置６０及び／又は７０は、ｙ軸に対して横断する軸に対し観察角度依存性を減少又は十分に最小化するように機能する。より好ましくは、強度補償装置６０及び／又は７０は、ｙ軸に直交する軸（すなわちｘ軸）に対しての観察角度依存性を減少又は十分に最小化するように機能する。最も好適な装置では、ｘ軸は当該ディスプレイが通常使用にあるときの水平軸と規定され、ｙ軸は当該ディスプレイが通常使用にあるときの垂直軸と規定される。
【００５７】
他の実施例は、敢えて添付請求項の範囲内にあるものとしている。
【図面の簡単な説明】
【００５８】
【図１】３次元画像を表示するための視差バリア方式を採るＬＣＤ装置の現行の構成の概略的断面を示す図。
【図２】視差バリア型ＬＣＤ装置の幾何学的配置形態を示すのに有用な概略的断面を示す図。
【図３】光源を見るときに介在する画素の左右エッジにより決定されるような光源の各ビューの角度幅を示す概略図。
【図４】画像のそれぞれのビューをなす画素のグループの画素番号の関数としての正規化された輝度を示すグラフ。
【図５】画像のそれぞれのビューをなす画素のグループの各画素に適用されるべき輝度補正係数を示すグラフ。
【図６】表示番号の関数としてのビューの幅及び角度位置を示すグラフ。
【図７】本発明の実施例による表示装置の概略的ブロック図。
【図８】レンチキュラアレイを利用した本発明の実施例を示す図。
【図９】表示装置を用いて好適な光源の代替形態を示す図。
【図１０】本発明による表示最適化原理を表すのに有用な慣例的液晶表示パネルの観察角度特性を示すグラフ。